(57)【要約】【課題】通信チャネルのリソースの利用効率を高めることが可能な通信端末装置および通信方法を提供する。【解決手段】アンテナ１０、無線部２０、復調部３０を通じて、はじめに組織部データのみを基地局ＢＳ１から受信し、これに誤りが生じているかを判定部４０で判定し、誤りが生じている場合には、上記組織部データを判定部４０に保持するとともに、制御部１００が変調部５０を制御して基地局ＢＳ１に対して冗長部データを送信するように要求する。その後、基地局ＢＳ１から冗長部データが送られ、これを受信すると、これを用いて判定部４０が、保持しておいた組織部データの誤りを訂正する。そして、誤りが訂正できない場合には、制御部１００が変調部５０を制御して基地局ＢＳ１に対して組織部データと冗長部データを送信するように要求するようにしたものである。【選択図】　　図１
2004088691.tif 000002
【特許請求の範囲】
【請求項１】
ディジタル通信を行う通信端末装置において、
通信相手から送られるデータを受信する受信手段と、
前記通信相手にデータを送信する送信手段と、
前記受信手段により前記通信相手から受信した、情報部分とその誤りを検査するチェック部分を備える組織部データのうち、前記チェック部分のデータを用いて前記情報部分のデータに誤りが生じているか否かを判定する判定手段と、
前記情報部分のデータに誤りが生じていると前記判定手段が判定した場合に、前記組織部データを記憶する記憶手段と、
前記情報部分のデータに誤りが生じていると前記判定手段が判定した場合に、前記送信手段を通じて、前記通信相手に対して、前記組織部データを誤り訂正するための冗長データを要求する要求手段と、
この要求手段の要求に応じて前記受信手段により前記通信相手から受信した前記冗長データを用いて、前記記憶手段が記憶する組織部データに生じた誤りを訂正する訂正手段とを具備することを特徴とする通信端末装置。
【請求項２】
訂正手段にて訂正された組織部データのうち、チェック部分のデータを用いて情報部分のデータに誤りが生じているか否かを判定する再判定手段と、
前記情報部分のデータに誤りが生じていると前記再判定手段が判定した場合に、前記送信手段を通じて、前記通信相手に対して、前記組織部データとこの組織部データを誤り訂正するための冗長データとを要求する再要求手段と、
この再要求手段の要求に応じて前記受信手段により前記通信相手から受信した組織部データと冗長データのうち、この冗長データを用いて、前記組織部データに生じた誤りを訂正する再訂正手段とを備えることを特徴とする請求項１に記載の通信端末装置。
【請求項３】
ディジタル通信を行う通信装置の通信方法において、
通信相手から、情報部分とその誤りを検査するチェック部分を備える組織部データを受信する第１の受信工程と、
この第１の受信工程で前記通信相手から受信した前記チェック部分のデータを用いて前記情報部分のデータに誤りが生じているか否かを判定する判定工程と、
前記情報部分のデータに誤りが生じていると前記判定工程が判定した場合に、前記組織部データを記憶する記憶工程と、
前記情報部分のデータに誤りが生じていると前記判定工程が判定した場合に、前記通信相手に対して、前記組織部データを誤り訂正するための冗長データを要求する要求工程と、
この要求工程の要求に応じて前記通信相手から送られる前記冗長データを受信する第２の受信工程と、
この第２の受信工程にて受信した前記冗長データを用いて、前記記憶工程で記憶した組織部データに生じた誤りを訂正する訂正工程とを具備することを特徴とする通信方法。
【請求項４】
訂正工程にて訂正された組織部データのうち、チェック部分のデータを用いて情報部分のデータに誤りが生じているか否かを判定する再判定工程と、
前記情報部分のデータに誤りが生じていると前記再判定工程が判定した場合に、前記通信相手に対して、前記組織部データとこの組織部データを誤り訂正するための冗長データとを要求する再要求工程と、
この再要求工程の要求に応じて前記通信相手から送られる組織部データと冗長データとを受信する第３の受信工程と、
この第３の受信工程にて受信した冗長データを用いて、前記第３の受信工程にて受信した組織部データの誤りを訂正する再訂正工程とを備えることを特徴とする請求項３に記載の通信方法。
【発明の詳細な説明】
【０００１】
【発明の属する技術分野】
この発明は、例えば携帯電話システムなどのディジタル移動通信システムで用いられる移動無線端末装置をはじめ、ディジタル通信を行う通信端末装置に関する。
【０００２】
【従来の技術】
周知のように、例えば携帯電話システムなどのディジタル移動通信システムでは、リアルタイムで誤り訂正を行う必要があるため、誤り制御方式としてＦＥＣ（Ｆｏｒｗａｒｄ　Ｅｒｒｏｒ　Ｃｏｒｒｅｃｔｉｏｎ）が用いられることが多い。
【０００３】
ＦＥＣでは、情報ビットを含む組織部に、パリティビットを含む冗長部を付加して構成されるデータブロックを伝送し、伝送途中で一部のビットに誤りが生じた場合、上記パリティビットを利用して受信側で誤ったビットを訂正する。
【０００４】
そして、ＦＥＣによる誤り訂正では、誤りビットを訂正できない場合に、ＡＲＱ（Ａｕｔｏｍａｔｉｃ　Ｒｅｐｅａｔ　Ｒｅｑｕｅｓｔ）により、送信側に誤りが発生したことを伝えて、誤りが生じたデータブロックの再送を要求し、送信側がデータブロックの再送を行う。
【０００５】
しかしながら、上述したような手順で誤り訂正を行うディジタル移動通信システムでは、伝送路の品質が良好な場合においても、情報ビットにパリティビットを付加して送信しているため、無線チャネルのリソースの利用効率が高いとは言えないという問題があった。
【０００６】
この問題は、無線通信に限られたものではなく、ディジタル通信を行うものであれば、有線通信であっても同様に生じうる問題である。
【０００７】
【発明が解決しようとする課題】
従来の通信システムでは、ＦＥＣのデータ構造とＡＲＱの再送単位が独立に設定されており、伝送路の品質が良好な場合においても、情報ビットにパリティビットを付加して送信しているため、通信チャネルのリソースの利用効率に問題があった。
【０００８】
この発明は上記の問題を解決すべくなされたもので、通信チャネルのリソースの利用効率を高めることが可能な通信端末装置および通信方法を提供することを目的とする。
【０００９】
【課題を解決するための手段】
上記の目的を達成するために、請求項１に係わる発明は、ディジタル通信を行う通信端末装置において、通信相手から送られるデータを受信する受信手段と、通信相手にデータを送信する送信手段と、受信手段により通信相手から受信した、情報部分とその誤りを検査するチェック部分を備える組織部データのうち、チェック部分のデータを用いて情報部分のデータに誤りが生じているか否かを判定する判定手段と、情報部分のデータに誤りが生じていると判定手段が判定した場合に、組織部データを記憶する記憶手段と、情報部分のデータに誤りが生じていると判定手段が判定した場合に、送信手段を通じて、通信相手に対して、組織部データを誤り訂正するための冗長データを要求する要求手段と、この要求手段の要求に応じて受信手段により通信相手から受信した冗長データを用いて、記憶手段が記憶する組織部データに生じた誤りを訂正する訂正手段とを具備して構成するようにした。
【００１０】
また、上記の目的を達成するために、請求項３に係わる発明は、ディジタル通信を行う通信装置の通信方法において、通信相手から、情報部分とその誤りを検査するチェック部分を備える組織部データを受信する第１の受信工程と、この第１の受信工程で通信相手から受信したチェック部分のデータを用いて情報部分のデータに誤りが生じているか否かを判定する判定工程と、情報部分のデータに誤りが生じていると判定工程が判定した場合に、組織部データを記憶する記憶工程と、情報部分のデータに誤りが生じていると判定工程が判定した場合に、通信相手に対して、組織部データを誤り訂正するための冗長データを要求する要求工程と、この要求工程の要求に応じて通信相手から送られる冗長データを受信する第２の受信工程と、この第２の受信工程にて受信した冗長データを用いて、記憶工程で記憶した組織部データに生じた誤りを訂正する訂正工程とを具備して構成するようにした。
【００１１】
上記構成の通信端末装置および通信方法では、通信相手との通信で、組織部データに誤りが生じた場合のみ、冗長部データを要求してこれを受信するようにしている。
【００１２】
したがって、上記構成の通信端末装置および通信方法によれば、組織部データに常に冗長部データを付加したものを受信する場合に比べ、無線チャネルのリソースの利用効率を高めることができる。
【００１３】
【発明の実施の形態】
以下、図面を参照して、この発明の一実施形態について説明する。
以下の説明では、携帯電話システムなどのディジタル移動通信システムで用いられる移動無線端末装置ＭＳ１を例に挙げて説明する。
【００１４】
図１は、上記移動無線端末装置ＭＳ１の構成と、移動無線端末装置ＭＳ１と通信を行う相手までの通信経路を示すものである。
移動無線端末装置ＭＳ１は、ＣＤＭＡ（Ｃｏｄｅ　Ｄｉｖｉｓｉｏｎ　Ｍｕｌｔｉｐｌｅ　Ａｃｃｅｓｓ）方式やＴＤＭＡ（Ｔｉｍｅ　Ｄｉｖｉｓｉｏｎ　Ｍｕｌｔｉｐｌｅ　Ａｃｃｅｓｓ）方式などにより、基地局ＢＳ１と無線通信を行う。
【００１５】
そして、移動無線端末装置ＭＳ１は、基地局ＢＳ１を通じて移動通信網を介し、基地局ＢＳ２に無線接続する移動無線端末装置ＭＳ２と通信したり、あるいはインターネットに接続可能なパーソナルコンピュータＰＣと通信を行うことを可能としている。
【００１６】
また、移動無線端末装置ＭＳ１は、アンテナ１０、無線部２０、復調部３０、判定部４０、変調部５０および制御部１００を備える。
なお、これらの構成の他に、音声の入出力を行うマイクやスピーカ、種々の情報を表示する表示部、ユーザからの指示を受け付けるキー入力部などを備えるが、ここでは省略する。
【００１７】
無線部２０は、アンテナ１０を通じて基地局ＢＳ１とディジタル無線通信するものであって、基地局ＢＳ１から受信した高周波信号を中間周波数にダウンコンバートして復調部３０に出力したり、変調部５０にて変調された送信信号を無線周波にアップコンバートして、基地局ＢＳ１に向けて送信する。
【００１８】
復調部３０は、無線部２０から入力される中間周波の受信信号を復調し、そのうち自装置宛ての受信データを抽出して判定部４０に出力する。
【００１９】
判定部４０は、上記受信データに誤りが生じているかいないかの判定処理や、生じた誤りの訂正処理を行って、情報ビットを取り出す。
図２は、判定部４０の構成を示すもので、セレクタ４１、硬判定部４２、抽出部４３、ＣＲＣ（Ｃｙｃｌｉｃ　Ｒｅｄｕｎｄａｎｃｙ　Ｃｈｅｃｋ）チェック部４４およびターボデコーダ４５を備える。
【００２０】
セレクタ４１は、復調部３０を通じて入力され、多値化された状態にあるデータと、後述するターボデコーダ４５からそれぞれデータが入力され、このうちいずれか一方のデータを、後述する制御部１００の指示にしたがって、硬判定部４２およびターボデコーダ４５に出力する。
【００２１】
硬判定部４２は、セレクタ４１より入力されるデータを硬判定して２値化し、この２値化したデータを抽出部４３に出力する。
抽出部４３は、硬判定部４２より入力されるデータのうち、情報ビットを含む組織部を抽出し、ＣＲＣチェック部４４に出力する。
【００２２】
ＣＲＣチェック部４４は、上記組織部内のＣＲＣビットを用いて、情報ビットに誤りが生じていないかを判定する。そして、誤りが生じていない場合には、上記情報ビットを、後段の情報処理部（図示しない）に出力し、一方、誤りが生じている場合には、この旨を制御部１００に通知するとともに、上記組織部のデータをターボデコーダ４５に出力する。
【００２３】
ターボデコーダ４５は、セレクタ４１から受信データ（パリティビット）が入力されるとともに、ＣＲＣチェック部４４から組織部データが入力され、これらのデータを制御部１００の指示に従って、内蔵するメモリ４５ａに記憶する。
【００２４】
そして、ターボデコーダ４５は、メモリ４５ａに記憶した情報を用いて、組織部データの情報ビットに誤り訂正処理を施し、誤りを訂正した情報ビットを含む組織部データをセレクタ４１に出力する。
【００２５】
変調部５０は、送信データおよび制御部１００からの指示に基づく再送要求データを用いて搬送波を変調し、送信信号を生成して、これを無線部２０に出力する。
【００２６】
制御部１００は、マイクロプロセッサと、ＲＯＭやＲＡＭなどの半導体メモリとからなり、上記マイクロプロセッサが上記半導体メモリに記憶されるプログラムや制御データにしたがって、当該移動無線端末装置の各部を統括して制御するもので、例えば基地局ＢＳ１との間で所定の手順に従って通信し、誤りのない情報ビットを受信する制御機能を備える。
【００２７】
次に、上記構成の移動無線端末装置ＭＳ１の動作について説明する。
図３は、移動無線端末装置ＭＳ１と基地局ＢＳ１との間でなされる通信を示すシーケンス図である。
【００２８】
まず、シーケンスＳ１に示すように、基地局ＢＳ１が、移動無線端末装置ＭＳ１に向けて、情報ビットを含む組織部を送信し、これに誤りが生じることなく移動無線端末装置ＭＳ１が受信できた場合について説明する。
【００２９】
この場合、移動無線端末装置ＭＳ１では、制御部１００が、セレクタ４１を切換制御し、復調部３０にて復調された組織部が硬判定部４２およびターボデコーダ４５に出力される。硬判定部４２では、上記組織部を２値化し、組織部データとして抽出部４３に出力する。
【００３０】
これに対して、抽出部４３は、硬判定部４２の出力から上記組織部データを抽出し、これをＣＲＣチェック部４４に出力する。
そしてＣＲＣチェック部４４は、上記組織部データ内のＣＲＣビットを用いて、情報ビットに誤りが生じていないかを判定する。
ここでは、誤りが生じていないため、ＣＲＣチェック部４４は、上記情報ビットを正しい情報ビットとして後段の情報処理部に出力し、当該組織部の受信を完了する。
【００３１】
次に、シーケンスＳ２−１に示すように、基地局ＢＳ１が、移動無線端末装置ＭＳ１に向けて、情報ビットを含む組織部を送信し、これに誤りが生じた状態で移動無線端末装置ＭＳ１が受信した場合について説明する。
【００３２】
まず、移動無線端末装置ＭＳ１では、制御部１００が、セレクタ４１を切換制御し、復調部３０にて復調された組織部が硬判定部４２およびターボデコーダ４５に出力される。硬判定部４２では、上記組織部を２値化し、組織部データとして抽出部４３に出力する。
【００３３】
これに対して、抽出部４３は、硬判定部４２の出力から上記組織部データを抽出し、これをＣＲＣチェック部４４に出力する。
そしてＣＲＣチェック部４４は、上記組織部データ内のＣＲＣビットを用いて、情報ビットに誤りが生じていないかを判定する。
ここでは、誤りが生じているため、ＣＲＣチェック部４４は、上記情報ビットに誤りがある旨を制御部１００に通知するとともに、上記組織部データをターボデコーダ４５に出力する。
【００３４】
これに対して、制御部１００は、ターボデコーダ４５に対して、ＣＲＣチェック部４４から入力される組織部データをメモリ４５ａに記憶するように制御するとともに、変調部５０を制御して、シーケンスＳ２−２として、シーケンスＳ２−１で受信した組織部データに対応する冗長部データの送信を要求する部分再送要求データを基地局ＢＳ１に向けて送信させる。
【００３５】
これに対して、移動無線端末装置ＭＳ１から部分再送要求データを受信した基地局ＢＳ１は、シーケンスＳ２−３として、シーケンスＳ２−１で送信した組織部データの情報ビットを誤り訂正するのに必要なパリティデータを含む冗長部データを移動無線端末装置ＭＳ１に向けて送信する。
【００３６】
これに対して、移動無線端末装置ＭＳ１では、制御部１００が、セレクタ４１を切換制御し、復調部３０にて復調された冗長部を硬判定部４２およびターボデコーダ４５に入力する。
【００３７】
そして、制御部１００は、ターボデコーダ４５に対して、セレクタ４１を通じて入力される冗長部のパリティビットをメモリ４５ａに記憶するように制御したのち、上記パリティビットを用いて、以前に記憶した組織部データの情報ビットの誤りを訂正するように指示する。
【００３８】
これに対して、ターボデコーダ４５は、メモリ４５ａに記憶するパリティビットを用いて、メモリ４５ａに記憶する組織部データの情報ビットの誤り訂正処理を実施し、この処理が終了すると、誤り訂正された情報ビットを含む組織部データをセレクタ４１に出力する。
【００３９】
一方、制御部１００は、上記誤り訂正処理が終了すると、セレクタ４１を切換制御して、ターボデコーダ４５より出力される組織部データを硬判定部４２に入力する。
【００４０】
これに対して、硬判定部４２では、上記組織部データを２値化し、組織部データとして抽出部４３に出力する。抽出部４３は、上記組織部データを抽出し、これをＣＲＣチェック部４４に出力する。
【００４１】
これに対して、ＣＲＣチェック部４４は、上記組織部データ内のＣＲＣビットを用いて、情報ビットに誤りが生じていないかを判定する。
なお、ここでは、誤り訂正が成功したものとし、誤り訂正が失敗した場合については後述する。
【００４２】
このように、ここでは、誤りが訂正されているため、ＣＲＣチェック部４４は、上記情報ビットを正しい情報ビットとして後段の情報処理部に出力し、当該組織部の受信を完了する。
【００４３】
次に、前述のシーケンスＳ２−３で送信された冗長部データで、誤り訂正が失敗した場合について説明する。そのシーケンスをＳ３−１〜Ｓ３−５に示す。
なお、シーケンスＳ３−１〜Ｓ３−３については、前述したシーケンスＳ２−１〜Ｓ２−３と同じであるため、説明を省略する。
【００４４】
移動無線端末装置ＭＳ１では、ＣＲＣチェック部４４が、ターボデコーダ４５にて誤り訂正された組織部データ内のＣＲＣビットを用いて、情報ビットに誤りが生じていないかを判定する。なお、ここでは、誤り訂正が失敗したものとする。
【００４５】
このように、誤り訂正が失敗したものと判定した場合、ＣＲＣチェック部４４は、誤り訂正が失敗している旨を制御部１００に通知する。
これに対して、制御部１００は、変調部５０を制御して、シーケンスＳ３−４として、シーケンスＳ３−１で受信した組織部データ、およびこれに対応する冗長部データの再送信を要求する全再送要求データを基地局ＢＳ１に向けて送信させる。
【００４６】
これに対して、移動無線端末装置ＭＳ１から部分再送要求データを受信した基地局ＢＳ１は、シーケンスＳ３−５として、シーケンスＳ３−１で送信した組織部データと、このデータに含まれる情報ビットを誤り訂正するのに必要なパリティデータを含む冗長部データとを移動無線端末装置ＭＳ１に向けて送信する。
【００４７】
これに対して、移動無線端末装置ＭＳ１では、制御部１００が、セレクタ４１を切換制御し、復調部３０にて復調された組織部および冗長部が硬判定部４２およびターボデコーダ４５に入力する。
【００４８】
そして、制御部１００は、ターボデコーダ４５に対して、セレクタ４１を通じて入力される組織部、および冗長部のパリティビットをメモリ４５ａに記憶するように制御したのち、上記パリティビットを用いて、上記組織部の情報ビットの誤りを訂正するように指示する。
【００４９】
これに対して、ターボデコーダ４５は、メモリ４５ａに記憶するパリティビットを用いて、メモリ４５ａに記憶する組織部の情報ビットの誤り訂正処理を実施し、この処理が終了すると、誤り訂正された情報ビットを含む組織部をセレクタ４１に出力する。
【００５０】
一方、制御部１００は、上記誤り訂正処理が終了すると、セレクタ４１を切換制御して、ターボデコーダ４５より出力される組織部を硬判定部４２に入力する。
【００５１】
これに対して、硬判定部４２では、上記組織部を２値化し、組織部データとして抽出部４３に出力する。抽出部４３は、上記組織部データを抽出し、これをＣＲＣチェック部４４に出力する。
【００５２】
これに対して、ＣＲＣチェック部４４は、上記組織部データ内のＣＲＣビットを用いて、情報ビットに誤りが生じていないかを判定し、誤りが生じていない場合には、上記情報ビットを正しい情報ビットとして後段の情報処理部に出力し、当該組織部の受信を完了する。
【００５３】
以上のように、上記構成の移動無線端末装置ＭＳ１では、はじめに組織部データのみを基地局ＢＳ１から受信し、これに誤りが生じている場合には、基地局ＢＳ１に対して冗長部データを送信するように要求し、基地局ＢＳ１から受信した冗長部データを用いて、組織部データの誤り訂正を行うようにしている。
【００５４】
したがって、上記構成の移動無線端末装置ＭＳ１によれば、基地局ＢＳ１との無線通信で、組織部データに誤りが生じた場合のみ、冗長部データを要求して受信するようにしているので、組織部データに常に冗長部データを付加したものを受信する場合に比べ、無線チャネルのリソースの利用効率を高めることができる。
【００５５】
また、上記構成の移動無線端末装置ＭＳ１では、上述したように冗長部データを用いて組織部データの誤り訂正を行うが、この誤り訂正で誤りが訂正できなかった場合には、基地局ＢＳ１に対して組織部データおよび冗長部データを再送信するように要求し、再受信した冗長部データで組織部データの誤り訂正を行うようにしている。
【００５６】
したがって、上記構成の移動無線端末装置ＭＳ１によれば、別々に送られた組織部データと冗長部データで誤りのない情報ビットが得られない場合には、組織部データと冗長部データとを合わせて再受信するようにしているので、高い確率で誤りのない情報ビットを受信することができる。
【００５７】
尚、この発明は上記実施の形態に限定されるものではない。
例えば、上記実施の形態では、携帯電話システムなどのディジタル移動通信システムを例に挙げ、移動無線端末装置ＭＳ１と基地局ＢＳ１との間では無線通信を行うものを例に挙げた。
【００５８】
これに代わって例えば、通信網に接続可能な基地局と、通信端末装置とが有線回線で接続され、これらの間では上記有線回線を通じてディジタル通信を行う場合に適用しても、有線回線のリソースの利用効率を高めることができる。
その他、この発明の要旨を逸脱しない範囲で種々の変形を施しても同様に実施可能であることはいうまでもない。
【００５９】
【発明の効果】
以上述べたように、この発明では、通信相手との通信で、組織部データに誤りが生じた場合のみ、冗長部データを要求してこれを受信するようにしている。　したがって、この発明によれば、組織部データに常に冗長部データを付加したものを受信する場合に比べ、無線チャネルのリソースの利用効率を高めることが可能な通信端末装置および通信方法を提供できる。
【図面の簡単な説明】
【図１】この発明に係わる移動無線端末装置の一実施形態の構成を示す回路ブロック図。
【図２】図１に示した移動無線端末装置の判定部の構成を示す回路ブロック図。
【図３】図１に示した移動無線端末装置が基地局との間で行う通信動作を説明するためのシーケンス図。
【符号の説明】
１０…アンテナ
２０…無線部
３０…復調部
４０…判定部
４１…セレクタ
４２…硬判定部
４３…抽出部
４４…ＣＲＣチェック部
４５…ターボデコーダ
４５ａ…メモリ
５０…変調部
１００…制御部
ＢＳ１…基地局
ＢＳ２…基地局
ＭＳ１…移動無線端末装置
ＭＳ２…移動無線端末装置
ＰＣ…パーソナルコンピュータ
【図１】
2004088691.tif 000003
【図２】
2004088691.tif 000004
【図３】
2004088691.tif 000005